(57)【要約】【課題】回転刃を有する掘削装置を用いて穴掘り作業を行う際、作業場を荒らさず、またオペレータの安全を確保する。【解決手段】トラクタ等の走行車体１に縦軸回りに回転する掘削刃１８を有する掘削装置２０を設け、掘削装置２０には上下略全長にわたって覆う掘削カバー２１を設ける。この掘削カバー２１を上下方向に伸縮可能に構成し、掘削装置２０が土中に侵入して穴掘りが進み地表面からの露出部分が短くなると、掘削カバー２１が短縮して掘削装置２０の掘削部周辺を覆うように構成する。【選択図】図２
2005137231.tif 000002
【特許請求の範囲】
【請求項１】
車体（１）に対し、昇降自在に設けられる掘削装置において、前記掘削装置には、縦軸（１７）回りに回転する掘削刃（１８）と、前記掘削刃（１８）の上下略全長にわたって覆う掘削カバー（２１）を設けると共に、該掘削カバー（２１）を上下方向に伸縮自在に構成し、前記掘削装置（２０）が下動して穴掘り作業が進むにつれ掘削カバー（２１）も短縮して前記掘削装置（２０）の掘削部周辺を覆うように構成したことを特徴とする掘削装置。
【請求項２】
前記掘削カバー（２１）は、可動部（２５）と固定部（２４）を備え、前記可動部（２５）には前記掘削装置（２０）が上動するにつれて伸長して前記掘削部周辺を覆うように構成としたことを特徴とする請求項１に記載の掘削装置。
【発明の詳細な説明】
【技術分野】
【０００１】
この発明は、果樹園や庭園、公園等に樹木を植えたり、肥料等を埋設するために穴を掘削する掘削装置の構成に関するものである。
【背景技術】
【０００２】
従来、車体に対し、昇降自在に設けられる掘削装置が知られており、この掘削装置には、縦軸回りに回転する掘削刃を有するものが知れている。
例えば、特開２０００−２８７５６３号公報には、水平方向に正逆回転し上下に昇降可能の線状の螺旋掘進刃を複数組セットした掘削装置が示され、この掘削装置をクローラ式走行車両に昇降自在に取り付ける構成となっている。
【特許文献１】特開2000-287563号公報
【発明の開示】
【発明が解決しようとする課題】
【０００３】
しかしながら、前記従来のような掘進装置は、掘進刃が外部に露出しているため、作業中に回転させるとオペレータに向かって土砂が飛散したり、飛散した土砂で作業場を荒らすという課題が有った。また、非作業中にも、これら掘削刃に樹木や施設等、障害物が接触すると、双方を損傷する恐れが有った。
【０００４】
そこで、この発明は掘進装置の上下略全長をカバーで覆い、このカバーを上下に伸縮可能に構成して、掘進装置の穴掘り作業が進に従いカバーが短縮して掘進装置の地表面からの突出部分覆うようにし、掘進作業を円滑にしながら作業者の安全を確保しようとするものである。
【課題を解決するための手段】
【０００５】
前記問題点を解決するために、この発明は次のような技術的手段を講じた。
請求項１の発明は、車体（１）に対し、昇降自在に設けられる掘削装置において、前記掘削装置には、縦軸（１７）回りに回転する掘削刃（１８）と、前記掘削刃（１８）の上下略全長にわたって覆う掘削カバー（２１）を設けると共に、該掘削カバー（２１）を上下方向に伸縮自在に構成し、前記掘削装置（２０）が下動して穴掘り作業が進むにつれ掘削カバー（２１）も短縮して前記掘削装置（２０）の掘削部周辺を覆うように構成したことを特徴とする掘削装置とした。
【０００６】
前記構成によると、車体（１）に設けられている掘削装置の掘削刃（１８）は、作業の開始時には掘削カバー（２１）により覆われている。そして、掘削装置（２０）による穴掘り作業が進み掘削刃（１８）が土中に侵入して地表面からの露出部分が短くなると、掘削カバー（２１）が短縮して掘削装置（２０）の掘削部周辺を覆うようになる。
【０００７】
また請求項２の発明では、前記掘削カバー（２１）は、可動部（２５）と固定部（２４）を備え、前記可動部（２５）には前記掘削装置（２０）が上動するにつれて伸長して前記掘削部周辺を覆うように構成としたことを特徴とする請求項１に記載の掘削装置とした。
【０００８】
前記構成によると、請求項１の作用に加え、前記掘削装置（２０）が上動するにつれ、このカバー（２１）は伸長して前記掘削部周辺を覆う。
【発明の効果】
【０００９】
これにより、請求項１の発明は、掘削装置（２０）の掘削刃（１８）を掘削カバー（２１）で覆い、この掘削カバー（２１）を上下伸縮可能に構成し、穴掘り作業の開始時には掘削装置（２０）の上下略全長が掘削カバー２１により覆われる。そして、穴掘り作業が進み掘削装置（２０）の地表面からの露出部分が短くなると、即ち掘削装置（２０）を下動するにつれ掘削カバー（２１）が短縮して掘削装置（２０）の掘削部周辺を覆うようになるので、土砂が飛散することが無く、オペレータの安全を確保し、また周囲を荒らすことなく穴掘り作業を行うことができる。また移動時など非作業中にも、掘削刃（１８）がカバーされているので、障害物が接触してこれらを損傷する恐れが無い。
【００１０】
また請求項２の発明では、穴掘り作業終了時に掘削装置を（２０）を上動するときにも、カバー（２５）が伸長してこの掘削部周辺を覆うので、土砂が飛散することが無く、オペレータの安全を確保し、また周囲を荒らすことなく穴掘り作業を行うことができる。
【発明を実施するための最良の形態】
【００１１】
以下、この発明を図面に基づいて説明する。
図１にはこの発明に係るカバー付きの穴掘り機９を連結するトラクタ１を示している。
前記トラクタ１には、車体２前部に電子ガバナＧを有するエンジンＥを搭載し、エンジンＥの回りをボンネット４及びサイドカバー５で被覆し、エンジンＥの後方にハンドル６を設ける共に、このハンドル６の後方に操縦席７を設け、同ハンドル６の回転操作で左右の走行クローラ８，８の回転数を変更して直進、操向する構成となっている。また車体２後部には、作業機連結用のヒッチ機構１１と作業機昇降用の油圧シリンダ３を設け、前記ヒッチ機構１１に穴掘り機９やロータリ耕耘装置１０を連結し、前記油圧シリンダ３の駆動によりリフトアーム１２，１２を上下動し、リフトロッド１３，１３を介して前記各作業機を昇降する構成となっている。
【００１２】
また前記ボンネット４やサイドカバー５は、合成樹脂製のプレート部材から構成され、裏面の適所に切込み１４が形成され、トラクタ１を廃棄する際に、この切込み１４部分からボンネット４やサイドカバー５を折り畳み或いは分解することができ、小さな容積とし廃棄処理作業を容易にすることができる。
【００１３】
次に、図１乃至図３に基づきトラクタ１の車体２後部に連結する穴掘り機９について説明する。
前記穴掘り機９は、前記エンジンＥの回転動力により駆動されるトラクタのＰＴＯ軸から入力軸１５を経て動力を取り入れる伝動ボックス１６と、伝動ボックス１６から下方に延出し上下方向に長い縦軸となる掘削軸１７と、掘削軸１７の下端部に取り付けられている掘削刃１８，１８及び掘削軸１７の下部から上部にわたって取り付けられている排土板１９からなる掘削装置２０と、掘削装置２０を被覆する掘削カバー２１により構成されている。
【００１４】
そして、掘削カバー２１は、例えば図１と図２の図中右側半分、或いは図２の図中右半分及び図３示すように構成されている。
図１と図２に示す掘削カバー２１は、平面視円筒状の蛇腹状カバー２２で掘削装置２０の上部から下部までの略全体を覆うように構成し、フレーム９ａに蛇腹状カバー２２の上端部を取り付けると共に、伝動ボックス１６に上下動自在に支持されている左右一対の支持棒２３，２３に、蛇腹状カバー２２の下端部を取り付けて、一体で上下伸縮移動できるように支持し、掘削装置２０の上下全体及び掘削部周辺を覆うように構成している。
【００１５】
しかして、掘削装置１７の穴掘り作業が進み地中に侵入すると蛇腹状カバー２２は短縮すると共に、支持棒２３，２３は伝動ボックス１６の支持部及び蛇腹状カバー２２に対して上方へ移動して、蛇腹状カバー２２が掘削装置２０の掘削部周辺を覆い、また、穴掘り機９が地面から持ち上げられて掘削装置１７が上昇すると、蛇腹状カバー２２が伸長すると共に支持棒２３，２３が下降し、掘削装置２０の上下略全長を蛇腹状カバー２２で覆うようになる。
【００１６】
また、図３と図２の図中左側半分に示す掘削カバー２１は、次のように構成されている。
即ち、平面視円筒状の二重構造の主カバー２４（固定部）で掘削装置２０の上半部を被覆し、主カバー２４内に円筒状の下カバー（可動部）２５を上下動自在に嵌合支持し、下カバー２５を付勢手段となるバネ２６により下方に付勢する構成となっている。
【００１７】
しかして、掘削装置２０の掘削刃１８が地表面に接触している穴掘り開始時には、下カバー２５はバネ２６により下方に押し出され、主カバー２４及び下カバー２５により掘削装置２０の上下略全長を覆う。また、掘削装置２０で穴掘り作業が進むと、下カバー２５はバネ２６に抗して順次上方に移動して収納され、掘削装置２０の掘削部周辺を主カバー２４及び下カバー２５で覆うこととなる。
【００１８】
前記のように、掘削装置２０の上下略全長を被覆している掘削カバー２１を上下に伸縮可能に構成し、穴を掘り作業進み掘削装置２０の下端部が土中に侵入し掘削装置２０の地表面から露出している部分が短くなると、掘削装置２０の掘削部周辺を同カバー２０が覆うこととなり、作業者の安全を確保しながら円滑に穴掘り作業をすることができる。
【００１９】
次に、図４に基づき前記穴掘り機９を連結したトラクタ１での作業について説明する。
前記トラクタ１の走行系伝動機構には、前後進切替装置と、高速・中速・低速等、複数段に変速可能な変速装置が備えられ、ハンドルポスト内のプレート２７上に、エンジンＥの回転数を制御するアクセルレバー２８及び前後進切替用の前後進切替レバー２９を支持する構成となっている。そして、前記前後進切替レバー２９を中立位置（Ｎ）から前側の前進位置（Ｆ）に操作すると、レバー基部に備えた前進スイッチ３０がＯＮしてアクチュエータの駆動により前記前後進切替装置が前進側に切替られ、後側の後進位置（Ｒ）に操作すると、後進スイッチ３１がＯＮして走行変速装置が後進側に切替られる構成となっている。
【００２０】
また前記アクセルレバー２８を車体前側（図中Ｌ位置）に操作すると、エンジンが低速回転数となり、後側（図中Ｈ位置）に操作するとエンジンが高速回転数となる構成となっている。
【００２１】
そして、前記トラクタ１には、低速で走行しながら作業をする際の手元操作手段となる手元操作用スイッチ３６を設け、同スイッチ３６によりトラクタ１の低速での前進と停止をスイッチ操作するように構成している。詳しくは、前記前進スイッチ３０側のハーネス３２とコントローラ（制御部）側のハーネス３３をコネクタにより接続可能に構成し、前記両ハーネス３２，３３を取り外し、これら両ハーネス３２，３３との間に中間ハーネス３４を接続可能に構成している。前記中間ハーネス３４は、中途部から操作用ハーネス３５を分岐し、操作用ハーネス３５に前記手元操作用スイッチ３６を接続する構成となっている。そして、ハーネス３２・ハーネス３３間に中間ハーネス３４を接続すると、コントローラの指令によりガバナ機構のアクチュエータを駆動し、エンジンＥの高速回転数が阻止する構成となっている。
【００２２】
しかして、トラクタ１の変速装置を低速に変速し、オペレータが降車状態で手元操作用スイッチ３６を入／切すると、トラクタ１の前進及び停止をリモート操作することができる。
【００２３】
従って、前記のように穴掘り作業時に、掘削位置を微妙に調整する時にでも、オペレータはトラクタに乗車すること無く、トラクタ１の位置、即ち作業機の作業位置を調整することができ、作業の効率化を図ることができる。また、前記中間ハーネス３４を接続したトラクタの手元操作状態では、エンジンＥの高速回転が阻止されトラクタを超低速で確実に走行させながら安全に作業をすることができる。
【００２４】
尚、図６に示すトラクタは、前記ヒッチ機構１１に他種作業機、ここでは、湿地用のロータリ作業機を取り付けた例を示し、サイドカバー３９，４０に格子状のスリットを有する構成となっている。
【００２５】
これにより、耕耘作業時、前記左右の走行クローラ８，８により外側に押しのけられ、再度内側に向けて押し寄せられた泥土が格子状板体のサイドカバー３９，４０を通過して内側に流れ込み耕耘装置３７で耕耘される。従って、圃場に凹凸を形成すること無く、安全に泥土圃場を耕耘することができる。
【図面の簡単な説明】
【００２６】
【図１】トラクタの全体側面図。
【図２】要部の切断側面図。
【図３】要部の側断面図、及び平面図。
【図４】ハンドル部の上下断面図、平断面図。
【図５】ハンドル基部のハーネスの接続状態を示す図。
【図６】他種作業機を連結したトラクタの全体側面図。
【符号の説明】
【００２７】
１    トラクタ
９    穴掘り機
１５    入力軸
１６    伝動ボックス
１７    掘削軸
１８    掘削刃
１９    排土板
２０    掘削装置
２１    掘削カバー
２２    蛇腹状カバー
２３    支持棒
２４    主カバー
２５    下カバー
２６    バネ
【図１】
2005137231.tif 000003
【図２】
2005137231.tif 000004
【図３】
2005137231.tif 000005
【図４】
2005137231.tif 000006
【図５】
2005137231.tif 000007
【図６】
2005137231.tif 000008